(57)【特許請求の範囲】
【請求項１】
映像を表示する映像表示部を有するテレビジョン受信機であって、
外部の通信端末と無線通信可能な無線通信部と、
前記無線通信部を前記通信端末との間で自動接続可能な制御部と、
前記通信端末ごとに前記無線通信部との自動接続の優先度を示す優先順位情報を記憶する記憶部とを備え、
前記制御部は、前記記憶部に記憶された前記優先順位情報を参照し、現在接続されている通信端末よりも優先度の高いまたは同等の通信端末が接続可能範囲にある場合に当該通信端末との接続可否を選択する選択画面を前記映像表示部に表示させ、前記選択画面の選択結果に基づいて、前記優先度の高いまたは同等の通信端末との接続に切り換え、
前記制御部はさらに、現在接続されている通信端末よりも優先度の低い通信端末が接続可能範囲にある場合に前記選択画面を前記映像表示部に表示させない、テレビジョン受信機。
【請求項２】
前記無線通信部と前記通信端末との間の無線通信はＢｌｕｅｔｏｏｔｈ（登録商標）通信を含む、請求項１記載のテレビジョン受信機。
【発明の詳細な説明】
【技術分野】
【０００１】
本発明は、テレビジョン受信機に内蔵されたＢｌｕｅｔｏｏｔｈ（登録商標：以下同じ）通信を含む無線通信機能と通信端末との自動接続技術に関するものである。
【背景技術】
【０００２】
従来、Ｂｌｕｅｔｏｏｔｈ（以下「ＢＴ」と称す）機器間の接続に関し、使用者に事前にＢＴ機器について自動接続可否の設定を行わせて、自動接続を許可する設定がなされている場合に接続可能範囲にあるＢＴ機器同士を自動接続する技術が知られている（例えば特許文献１参照）。
【０００３】
このように構成することで、機器登録（以下「リンク」と称す）を実施済みのＢＴ機器同士が接続可能範囲に入った場合、事前に自動接続可否の設定をしておくことで、手動操作によりＢＴ機器を接続させる手間を省くことができ、さらに使用者が所望していないのに不意にＢＴ機器同士が自動接続されることを防止できる。
【先行技術文献】
【特許文献】
【０００４】
【特許文献１】特開２００７−１１６２５４号公報
【発明の概要】
【発明が解決しようとする課題】
【０００５】
しかしながら、特許文献１に記載の技術をＢＴ機能を有するテレビジョン受信機に採用しようとすると、テレビジョン受信機に内蔵されたＢＴ機能と第１のＢＴ機器とが接続されている場合に、ＢＴ機能との事前リンクが確立され自動接続が設定された第２のＢＴ機器がテレビジョン受信機の接続可能範囲に入ったとき、第１のＢＴ機器との接続が優先され、使用者が第２のＢＴ機器を自動で接続したい場合にも第２のＢＴ機器は自動接続されない。
【０００６】
このように、使用者が所望する優先度とは関係なく自動接続処理が行われる。すなわち、特許文献１に記載の技術では自動接続を行うに際して使用者が所望する優先度を考慮していないため、使用者にとって不便であった。
【０００７】
そこで、本発明は、使用者が所望する優先度を考慮した通信端末との自動接続を行うことができ、かつ、不意に接続されることを防止できるテレビジョン受信機を提供することを目的とする。
【課題を解決するための手段】
【０００８】
本発明に係るテレビジョン受信機は、映像を表示する映像表示部を有するテレビジョン受信機であって、外部の通信端末と無線通信可能な無線通信部と、前記無線通信部を前記通信端末との間で自動接続可能な制御部と、前記通信端末ごとに前記無線通信部との自動接続の優先度を示す優先順位情報を記憶する記憶部とを備え、前記制御部は、前記記憶部に記憶された前記優先順位情報を参照し、現在接続されている通信端末よりも優先度の高いまたは同等の通信端末が接続可能範囲にある場合に当該通信端末との接続可否を選択する選択画面を前記映像表示部に表示させ、前記選択画面の選択結果に基づいて、前記優先度の高いまたは同等の通信端末との接続に切り換え、前記制御部はさらに、現在接続されている通信端末よりも優先度の低い通信端末が接続可能範囲にある場合に前記選択画面を前記映像表示部に表示させないものである。
【発明の効果】
【０００９】
本発明によれば、制御部は、記憶部に記憶された優先順位情報を参照し、現在接続されている通信端末よりも優先度の高いまたは同等の通信端末が接続可能範囲にある場合に当該通信端末との接続可否を選択する選択画面を映像表示部に表示させ、選択画面の選択結果に基づいて、優先度の高いまたは同等の通信端末との接続に切り換えるため、使用者が所望する優先度を考慮した通信端末との自動接続を行うことができる。また、接続可能範囲にある通信端末と自動接続する際に使用者が選択画面で確認することができるため、不意に自動接続されることを防止できる。制御部はさらに、現在接続されている通信端末よりも優先度の低い通信端末が接続可能範囲にある場合に選択画面を映像表示部に表示させないため、頻繁に選択画面が表示されることを防止できる。
【図面の簡単な説明】
【００１０】
【図１】実施の形態に係るテレビジョン受信機の概略ブロック図である。
【図２】テレビジョン受信機とＢｌｕｅｔｏｏｔｈ機器とのリンク設定処理を示すフローチャートである。
【図３】テレビジョン受信機とＢｌｕｅｔｏｏｔｈ機器とのデータ通信接続処理を示すフローチャートである。
【発明を実施するための形態】
【００１１】
＜実施の形態＞
本発明の実施の形態について、図面を用いて以下に説明する。図１は、本発明の実施の形態に係るテレビジョン受信機１の概略ブロック図である。テレビジョン受信機１は、ＢＴ機能内蔵テレビジョン受信機であり、放送波受信用アンテナ２と、デジタルチューナ３と、ＡＶデコーダ４と、映像表示部５と、音声出力部６と、ＢＴ通信部７と、ＢＴ通信用アンテナ８とを備えている。
【００１２】
さらに、テレビジョン受信機１は、ＣＰＵ（Ｃｅｎｔｒａｌ  Ｐｒｏｃｅｓｓｉｎｇ  Ｕｎｉｔ）９と、ＣＰＵ９に実行させるプログラム等を格納するＲＯＭ（Ｒｅａｄ  Ｏｎｌｙ  Ｍｅｍｏｒｙ）１０と、ＣＰＵ９のワーク領域等として使用されるＲＡＭ（Ｒａｎｄａｍ  Ａｃｃｅｓｓ  Ｍｅｍｏｒｙ）１１と、ＣＰＵバス１２とを備えている。
【００１３】
アンテナ２は、テレビジョン受信機１の外部に設置され、発信局が送信したデジタル放送信号の放送波を受信する。デジタルチューナ３は、アンテナ２により受信されたデジタル放送信号の放送波から任意のトランスポートストリームを抽出し、その中から選局された放送番組に関連するデータだけを抽出した番組データであるパーシャルトランスポートストリームをＡＶデコーダ４へ出力する。
【００１４】
ＡＶデコーダ４は、パーシャルトランスポートストリームに含まれる放送番組の映像と音声をデコードし、映像音声信号を復元する。映像表示部５は、ＬＣＤパネル等で構成され、ＡＶデコーダ４により復元された映像信号に基づいて映像を表示する。音声出力部６は、スピーカ等で構成され、ＡＶデコーダ４により復元された音声信号に基づいて音声を出力する。
【００１５】
アンテナ８は、テレビジョン受信機１の外部に設置され、無線データを受信しＢＴ通信部７へ出力する。ＢＴ通信部７（無線通信部）は、外部のＢＴ機器と無線通信可能に構成され、アンテナ８により受信された無線データをＣＰＵ９が処理できるデータにデコードする。
【００１６】
ＣＰＵ９（制御部）は、ＲＯＭ１０に格納されたプログラムに従い、ＲＡＭ１１をワーク領域として使用しながら、ＣＰＵバス１２を介して各ブロックを制御する。また、ＣＰＵ９は、ＢＴ通信部７を外部のＢＴ機器との間で自動接続可能に構成され、ＢＴ通信部７によりデコードされたデータを音声データ・数値データ等に変換し、ＣＰＵバス１２を介して数値を映像表示部５に表示させるとともに、音声を音声出力部６から出力させる。
【００１７】
ＲＡＭ１１（記憶部）は、ＢＴ機器ごとにＢＴ通信部７との自動接続の優先度を示す優先順位情報を記憶する。優先順位情報は、リンク設定処理の実行時に使用者により設定される情報であり、その詳細については後述する。
【００１８】
次に、図２を用いてリンク設定処理について説明する。図２は、テレビジョン受信機１とＢＴ機器とのリンク設定処理を示すフローチャートである。テレビジョン受信機１の電源をＯＮにしたときにテレビジョン受信機１のＢＴ機能の動作もＯＮされ、ＣＰＵ９はリンク設定処理を実行する。
【００１９】
先ず、ＣＰＵ９は、テレビジョン受信機１と接続される外部のＢＴ機器の動作がＯＮかどうかを判定し、ＢＴ機器の動作がＯＮであると判定した場合（ステップＳ１においてＹｅｓ）、すなわち、テレビジョン受信機１とＢＴ機器の動作がともにＯＮとなった場合、ＣＰＵ９は、映像表示部５にテレビジョン受信機１とＢＴ機器とのＢＴ接続画面を表示させて（ステップＳ２）、ＢＴ接続画面においてテレビジョン受信機１とＢＴ機器とのリンク接続を開始する。
【００２０】
次に、ＣＰＵ９は、テレビジョン受信機１とＢＴ機器が新規リンクかどうかを判定し、新規リンクでない場合（ステップＳ３においてＮｏ）、リンク設定処理を終了し、図３に示すデータ通信接続処理を開始する。
【００２１】
一方、新規リンクの場合（ステップＳ３においてＹｅｓ）、ＣＰＵ９は、テレビジョン受信機１とＢＴ機器とのリンク接続を実行する（ステップＳ４）。リンク接続が完了すると、ＣＰＵ９は、過去にテレビジョン受信機１とリンク接続されたＢＴ機器の一覧を示すリンク接続一覧画面を映像表示部５に表示させる（ステップＳ５）。なお、リンク接続一覧画面には、今回新規でリンク接続されたＢＴ機器を含めて表示される。
【００２２】
リンク接続一覧画面において、テレビジョン受信機１と新規でリンク接続されたＢＴ機器との接続方法の設定であるデータ通信接続設定が実行される（ステップＳ６）。ここでは、テレビジョン受信機１と新規でリンク接続されたＢＴ機器とがリンク接続する場合に、データ通信接続を自動で開始するかどうかの設定（自動接続情報）と、データ通信接続を自動で開始する場合の優先度（優先順位情報）とを使用者がリンク接続一覧画面で設定する。設定された自動接続情報と優先順位情報は、ＲＡＭ１１に記憶される。これにより、リンク設定処理を終了し、図３に示すデータ通信接続処理を開始する。
【００２３】
優先度を高く設定すれば、現在テレビジョン受信機１と接続されているＢＴ機器よりも、優先度の高いまたは同等のＢＴ機器が接続可能範囲にある場合、接続可能範囲にある未接続のＢＴ機器は、自動でテレビジョン受信機１とデータ通信接続を開始し、先に接続されているＢＴ機器との接続は切断される。
【００２４】
なお、後に接続されたＢＴ機器とテレビジョン受信機１とのリンク接続が切断された場合は、先に接続されていたＢＴ機器がテレビジョン受信機１と自動接続されデータ通信接続を開始する。
【００２５】
次に、図３を用いてデータ通信接続処理について説明する。図３は、テレビジョン受信機１とＢＴ機器とのデータ通信接続処理を示すフローチャートである。テレビジョン受信機１とＢＴ機器とのリンク確立が完了し、データ通信接続設定を実行済みのＢＴ機器とテレビジョン受信機１が接続を開始するとき、ＣＰＵ９はデータ通信接続処理を実行する。
【００２６】
ＣＰＵ９は、ＢＴ機器が自動接続機器、すなわち、データ通信接続設定において自動接続が設定されているかどうかをＲＡＭ１１に記憶された自動接続情報を参照して判定する（ステップＳ１１）。
【００２７】
自動接続設定になっていない場合は（ステップＳ１１においてＮｏ）、テレビジョン受信機１とリンク接続したＢＴ機器とを手動で接続する方法（ステップＳ１７）に移行する。この場合、ＣＰＵ９は自動で映像表示部５に選択画面を表示させず、使用者が手動で選択画面を表示させる。
【００２８】
自動接続設定になっている場合（ステップＳ１１においてＹｅｓ）、ＣＰＵ９は、現在テレビジョン受信機１がＢＴ機器とデータ通信接続を行っているかどうかを判定する（ステップＳ１２）。データ通信接続を行っていない場合（ステップＳ１２においてＮｏ）、ＣＰＵ９は、接続可能範囲にある未接続のＢＴ機器とテレビジョン受信機１とのデータ通信接続を実行させた後（ステップＳ１６）、データ通信接続処理を終了する。
【００２９】
一方、データ通信接続を行っている場合（ステップＳ１２においてＹｅｓ）、ＣＰＵ９は、ＲＡＭ１１に記憶された優先順位情報を参照し、接続可能範囲にある未接続のＢＴ機器が現在接続されているＢＴ機器よりも優先度が高いまたは同等かどうかを判定する（ステップＳ１３）。未接続のＢＴ機器が現在接続されているＢＴ機器よりも優先度が高いまたは同等である場合（ステップＳ１３においてＹｅｓ）、ＣＰＵ９は、当該ＢＴ機器との接続可否を選択する選択画面を映像表示部５に自動表示させる（ステップＳ１４）。
【００３０】
選択画面において使用者によって当該ＢＴ機器との接続が選択された場合（ステップＳ１５においてＹｅｓ）、ＣＰＵ９は、未接続のＢＴ機器とテレビジョン受信機１とのデータ通信接続を実行させ（ステップＳ１６）、かつ、接続されていたＢＴ機器とのデータ通信接続を切断してから、データ通信接続処理を終了する。
【００３１】
一方、選択画面において使用者によって当該ＢＴ機器と接続しないことが選択された場合（ステップＳ１５においてＮｏ）、ＣＰＵ９は、接続可能範囲にある未接続のＢＴ機器とテレビジョン受信機１とのデータ通信接続を実行させずに、データ通信接続処理を終了する。
【００３２】
また、接続可能範囲にある未接続のＢＴ機器が現在接続されているＢＴ機器よりも優先度が低い場合（ステップＳ１３においてＮｏ）、ＣＰＵ９は、選択画面を映像表示部５に自動表示させることなく、テレビジョン受信機１と未接続のＢＴ機器とを手動で接続する方法（ステップＳ１７）に移行する。未接続のＢＴ機器とテレビジョン受信機１とをデータ通信接続する場合は（ステップＳ１７においてＹｅｓ）、使用者は手動で選択画面を表示させて（ステップＳ１４）、選択画面においてＢＴ機器との接続を選択する。
【００３３】
なお、手動で選択画面を表示させない場合（ステップＳ１７においてＮｏ）、ＣＰＵ９は、未接続のＢＴ機器とテレビジョン受信機１とをデータ通信接続させずにデータ通信接続処理を終了するが、現在接続されているＢＴ機器がテレビジョン受信機１とのデータ接続通信を終了したときは、自動でデータ通信接続処理が開始されてステップＳ１１に移行し、他のＢＴ機器よりもデータ通信接続の優先度が高いまたは同等であれば、当該ＢＴ機器はテレビジョン受信機１とデータ通信接続される。
【００３４】
また、使用者が、選択画面においてテレビジョン受信機１との接続をしないことを選択した場合、未接続のＢＴ機器よりもデータ通信接続の優先度が高いＢＴ機器が、テレビジョン受信機１とのデータ通信接続を終了しても、ＣＰＵ９は自動でデータ通信接続処理を実行させない。
【００３５】
以上のように、実施の形態に係るテレビジョン受信機１では、ＣＰＵ９は、ＲＡＭ１１に記憶された優先順位情報を参照し、現在接続されているＢＴ機器よりも優先度の高いまたは同等のＢＴ機器が接続可能範囲にある場合に当該ＢＴ機器との接続可否を選択する選択画面を映像表示部５に表示させ、選択画面の選択結果に基づいて、優先度の高いまたは同等のＢＴ機器との接続に切り換える。
【００３６】
すなわち、選択画面において使用者によって当該ＢＴ機器との接続が選択された場合、ＣＰＵ９は、未接続のＢＴ機器とテレビジョン受信機１とのデータ通信接続を実行させるとともに、先に接続されているＢＴ機器とのデータ通信接続を切断する。したがって、使用者が所望する優先度を考慮したＢＴ機器との自動接続を行うことができる。また、接続可能範囲にあるＢＴ機器と自動接続する際に使用者が選択画面で確認することができるため、不意に自動接続されることを防止できる。
【００３７】
また、ＣＰＵ９は、現在接続されているＢＴ機器よりも優先度の低いＢＴ機器が接続可能範囲にある場合に選択画面を映像表示部５に表示させないため、頻繁に選択画面が表示されることを防止できる。
【００３８】
なお、ＢＴ機器としては、スマ−トホン、携帯端末、携帯音楽プレーヤー、市場にて増加傾向があるＢＴ機能付き血圧計、体重計、体温計等を採用することができる。ＢＴ機能付き血圧計、体重計、体温計等は、優先順位を高く設定することで、テレビジョン受信機と、スマ−トホン、携帯端末、携帯音楽プレ−ヤ−とを接続し、使用者は、テレビジョン受信機のスピーカでスマ−トホン、携帯端末、携帯音楽プレ−ヤ−から無線通信される音楽を聞いている場合に、ＢＴ機能付き血圧計、体重計、体温計等の電源を入れると、これらとテレビジョン受信機とが接続され、テレビジョン受信機をＢＴ機能付き血圧計、体重計、体温計等の表示、数値管理、過去データの表示をするために使用することができる。
【００３９】
また、本発明はテレビジョン受信機以外のＢＴ通信機能内蔵機器にも適用可能であり、さらに、無線通信部と通信端末との間の無線通信としては、ＢＴ通信以外の無線通信にも適用可能であり、この場合にも上記と同様の効果が得られる。
【００４０】
なお、本発明は、その発明の範囲内において、実施の形態を適宜、変形、省略することが可能である。
【符号の説明】
【００４１】
１  テレビジョン受信機、５  映像表示部、７  Ｂｌｕｅｔｏｏｔｈ通信部、９  ＣＰＵ、１１  ＲＡＭ。
【図１】
0006004748.tif 000002
【図２】
0006004748.tif 000003
【図３】
0006004748.tif 000004